(57)【要約】【課題】わざわざ取説を見ることなく，高価なセンサを搭載することなく，洗剤・仕上剤の量を使用者に知らせることができると共に，ユーザを待たせることなく，適切な量の洗剤・仕上剤を投入できるようなドラム式洗濯機を提供すること。【解決手段】ドラム式洗濯機本体のドラムの洗濯物投入開口近傍に，洗濯物の嵩レベル面に対応する目印の近傍に，該目印と対応する洗剤或いは助剤の投入量に関する表示が付されてなるドラム式洗濯機。目印は，矢印，洗濯物の重量に関する表示を含んで構成されても良い。また，前記投入量に関する表示を，計量カップとそれに入れられた洗剤或いは助剤のイメージを含むものによって，あるいは嵩レベル面の中間においても複数段階に表示し，更に，前記投入量に関する表示として，計量カップとそれに入れられた洗剤或いは助剤のイメージを含んでもよい。【選択図】図２
2004305246.tif 000002
【特許請求の範囲】
【請求項１】
洗濯物を収納したドラムを回転させることで上記洗濯物を洗浄するドラム式洗濯機本体の上記ドラムの洗濯物投入開口近傍に，前記ドラム内に収納した洗濯物の嵩レベル面に対応する目印が付されてなるドラム式洗濯機において，
前記目印の近傍に該目印と対応する洗剤或いは助剤の投入量に関する表示が付されてなるドラム式洗濯機。
【請求項２】
前記嵩レベル面に対応する目印が，矢印である請求項１記載のドラム式洗濯機。
【請求項３】
前記嵩レベル面に対応する目印が，洗濯物の重量に関する表示を含むものである請求項１或いは２のいずれかに記載のドラム式洗濯機。
【請求項４】
前記投入量に関する表示が計量カップとそれに入れられた洗剤或いは助剤のイメージ画像を含むものである請求項１〜３のいずれかに記載のドラム式洗濯機。
【請求項５】
前記投入量に関する表示が，前記嵩レベル面の中間においても複数段階に表示されてなる請求項４に記載のドラム式洗濯機。
【請求項６】
前記投入量に関する表示が計量カップとそれに入れられた洗剤或いは助剤のイメージ画像を含み，上記イメージ画像が投入量に対応して色づけられてなるものである請求項４に記載のドラム式洗濯機。
【請求項７】
前記投入量に関する表示が，数字である請求項１〜３のいずれかに記載のドラム式洗濯機。
【請求項８】
前記嵩レベル面に対応する目印および／若しくは前記投入量に関する表示が，ドラムの洗濯物投入開口部に設けられた開口を仕切る仕切り部材に付されてなる請求項１〜７のいずれかに記載のドラム式洗濯機。
【請求項９】
前記助剤が，仕上げ剤，柔軟剤のいずれか或いは両方である請求項１〜８のいずれかに記載のドラム式洗濯機。
【発明の詳細な説明】
【０００１】
【発明の属する技術分野】
本発明は，洗濯物を収納したドラムを回転させることで上記洗濯物を洗浄するドラム式洗濯機本体の上記ドラムの洗濯物投入開口近傍に，前記ドラム内に収納した洗濯物の嵩レベル面に対応する目印が付されてなるドラム式洗濯機に関するものである。
【０００２】
【従来の技術】
前記のようなドラム式洗濯機で洗濯する場合には，まず洗濯物をドラム内に投入し，洗濯物の容量を確認すると共に，取扱説明書に記載の洗濯物の量に対応する洗剤・仕上剤使用量の早見表により洗剤・仕上剤の投入量を確認し，洗濯機に洗剤・仕上剤を投入するようにしている。
【０００３】
【発明が解決しようとする課題】
前記のような洗剤や仕上げ剤の投入量を決める方法では，
１．毎回取扱説明書を確認しなければならない為，面倒である。
２．確認せずに投入した場合，洗剤不足や過多が発生し，洗浄性能，すすぎ性能の低下や故障につながる。
３．洗濯物の容量をセンサによって検出する機種もあるが，このような方法では，検出に時間が掛かりその間待たなければならない。という問題があった。
【０００４】
従って本発明が目的とするところは，
１．わざわざ取説を見ることなく適切な量の洗剤・仕上剤を投入でき，
２．高価なセンサを搭載することなく，洗剤・仕上剤の量を使用者に知らせることができると共に，使用者は待つことなく，投入することが出来る。ようなドラム式洗濯機を提供することである。
【０００５】
【課題を解決するための手段】
上記目的を達成するために本発明は，洗濯物を収納したドラムを回転させることで上記洗濯物を洗浄するドラム式洗濯機本体の上記ドラムの洗濯物投入開口近傍に，前記ドラム内に収納した洗濯物の嵩レベル面に対応する目印が付されてなるドラム式洗濯機において，
前記目印の近傍に該目印と対応する洗剤或いは助剤の投入量に関する表示が付されてなるドラム式洗濯機として構成されている。
前記嵩レベル面に対応する目印は，矢印で形成されることがある。
また前記嵩レベル面に対応する目印は，洗濯物の重量に関する表示を含んで構成されても良い。
一方，前記投入量に関する表示を，計量カップとそれに入れられた洗剤或いは助剤のイメージ画像を含むものによって構成することが好ましい。
また別の例として前記投入量に関する表示を，前記嵩レベル面の中間においても複数段階に表示するようにする事が好ましい。
更に，前記投入量に関する表示として，計量カップとそれに入れられた洗剤或いは助剤のイメージ画像を含み，上記イメージ画像が投入量に対応して色づけられてなるものであってもよい。いずれも極めて簡単に一目で洗剤などの投入量を感覚的に把握できる。
感覚的ではないが正確に把握するためには，前記投入量に関する表示を，数字であらわすことができる。
また前記嵩レベル面に対応する目印および／若しくは前記投入量に関する表示は，ドラムの洗濯物投入開口部に設けられた開口を仕切る蓋部材のような仕切り部材に付してもよい。要するにドラム式洗濯機の洗濯物量を把握できる場所に付されていれば良いのである。
前記助剤としては，仕上げ剤，柔軟剤などが考えられる。
【０００６】
【発明の実施の形態】
以下，本発明の実施形態を図面に基づいて説明する。ここに図１は，本発明の背景をなすドラム式洗濯機に開蓋状態を示す斜視図，図２〜図６はいずれも本発明の一実施形態に係るドラム式洗濯機のドラム開口近辺の構造を示す平面図である。
【０００７】
図１に示すように，本実施形態の背景に係るドラム式洗濯機１は，内部に洗濯物２を収納し水平軸周りに回転駆動されるドラム３を備え，該ドラム３の開口外側は本体の一部をなすカバー４で覆われている。このカバー４の中心にはドラム開口と同軸の開口が形成されており，この開口からドラム３の内部が視認しうる構造となっている。
そして上記従来の洗濯機１の上記カバー４の表面には，例えば２個の洗濯物重量に関する目安となる目印Ａ４およびＡ２が印刷されている。目印Ａ２は，２ｋｇ目安という文字と，矢印からなり，目印Ａ４は，４ｋｇ目安という文字と，矢印（この矢印には「ここまで」という文字も印刷されている）からなっている。上記Ａ２は，この目印まで洗濯物の嵩レベル面（洗濯物２をドラムの中に押さえずに詰めた時の洗濯物の上面）がこの位置であれば，洗濯物の量が略２ｋｇであるという目印であり，上記Ａ４は，洗濯物の嵩レベル面がこの位置であれば洗濯物の量が略４ｋｇであるという目印である。
従って，このような洗濯機を使う場合には，ユーザはいちいち洗濯物２の量を測らなくとも洗濯物２をドラム３に詰めるだけでその概略の重量を測ることができる。
しかしながらこのドラム式洗濯機では，洗濯物２の量は，該略とは言え上のようにして簡単に確認することが出来るが，この洗濯物２の量に対応した洗剤の量或いは仕上げ剤等の助剤の量については，相変わらず早見表などの別表を見なければならず，わずらわしいものであった。そこで本発明においては，以下の示すような構成を取ることで，簡単に洗濯物の量に対応する洗剤や仕上げ剤の量を確認しうるものである。
即ち，この実施形態では，図２に示すように洗濯物量２ｋｇの矢印Ｙ２の下に僅かに剤の入った計量カップのイメージ画像による表示Ｍ２が描かれ，上記２ｋｇの目安矢印Ｙ２と４ｋｇの目安矢印Ｙ４との間には，中間的な量の剤の入った計量カップのイメージ画像による表示Ｍ３が描かれている。更に上記洗濯物量４ｋｇの矢印Ｙ４の上に剤が満杯に入った計量カップのイメージ画像による表示Ｍ４が描かれている。
従って，ユーザは，ドラム３に詰めた洗濯物２の嵩レベル面が，例えばＹ２の矢印より下であれば，計量カップに較べて僅かな量の洗剤或いは仕上げ剤でまかなえることを上記表示により一目で確認できることになる。
また，洗濯物２の嵩レベル面が，上記２ｋｇの矢印Ｙ２と４ｋｇの矢印Ｙ４の間であれば，カップの中ほどの剤が適量であり，洗濯物２の嵩レベル面が，上記４ｋｇの矢印Ｙ４より上であれば，計量カップに満杯の剤が適量であることを一目で視認する事ができるのである。
上の実施形態では，２ｋｇと４ｋｇの間の量についてはカップの真中程度の剤量が適切であることを表示Ｍ３のみが表示されているが，例えば図３のように２ｋｇの矢印の上に約カップ半分程度の剤表示Ｍ５が，また４ｋｇの矢印の下にカップ半分より若干多い剤の入ったカップの表示Ｍ６がそれぞれ描かれている。従ってこの場合には，２ｋｇと４ｋｇの間の量がよりきめ細かく表示可能である。上記の実施形態では上記洗濯物２の概略の量を示す矢印を基準としてそれより多いか少ないかで剤の量を加減するものであるが，次の実施形態では洗濯物と洗剤或いは助剤の量とをカラーで表示している。
即ち，図４に示すように２ｋｇと４ｋｇを示す矢印Ｙ２，Ｙ４とドラム２との間に上段を赤色で，中段を黄色で，下段を青色で表示した帯状の表示Ｍｃを印刷すると共に，上記矢印Ｙ２とＹ４の間に，計量カップＣを表示している。また上記計量カップＣの中に，上段が赤，中段が黄色，下段が青色の剤表示ＸＲ，ＸＹ，ＸＢが描かれている。
従って，ユーザは，ドラムに詰めた洗濯物の嵩レベル面が表示Ｍｃの赤の部分にあるか，黄色の部分にあるか，或いは青色の部分にあるかを簡単に感覚的に把握することができ，赤のレベルであれば計量カップに赤の位置まで剤を入れる程度が適正であること，黄色のレベルであれば計量カップに黄色の位置まで剤を入れる程度が適正であること，更には，青色のレベルであれば計量カップに青色の位置まで剤を入れる程度が適正であることを感覚的に把握できるものである。
もちろん，計量カップにどの程度の剤を入れれば適性かは，上記のような感覚的な表現でなくても絶対的な数字で表現しても良い。図５の場合は，２ｋｇの矢印Ｙ２の下に，「０．３杯」の文字からなる表示Ｚ０．３が，２ｋｇの矢印Ｙ２と４ｋｇの矢印Ｙ４との間には「０．６杯」の文字からなる表示Ｚ０．６が，また４ｋｇの矢印Ｙ４の上には「０．９杯」の文字からなる表示Ｚ０．９がそれぞれ描かれている。従って，ユーザは，それぞれの洗濯物量に応じて計量カップにどの程度の剤を入れた量が適正かを絶対量として把握でき，間違いが少なくなる。
上記の実施形態では全てドラムの洗濯物投入用の開口の周りを覆うカバー４に洗剤や助剤の投入量を示す表示が付されているが，図６に示した例では，ドラム４の開口を塞ぐ透明或いは半透明の蓋部材Ｒに計量カップの表示Ｒ４，Ｒ３，Ｒ２や絶対的な数字による表示Ｚ０．９，Ｚ０．６，Ｚ０．３が印刷などにより付されている例である。蓋部材Ｒが透明或いは半透明であることによりドラム３内の洗濯物の量（即ち嵩レベル面）を確認しつつ，洗濯物の量に対応した洗剤或いは助剤の量を確認することが出来る。
【０００８】
【発明の効果】
以上説明した通り本発明のドラム式洗濯機は，洗濯物を収納したドラムを回転させることで上記洗濯物を洗浄するドラム式洗濯機本体の上記ドラムの洗濯物投入開口近傍に，前記ドラム内に収納した洗濯物の嵩レベル面に対応する目印が付されてなるドラム式洗濯機において，前記目印の近傍に該目印と対応する洗剤或いは助剤の投入量に関する表示が付されてなるドラム式洗濯機として構成されている。
従って，洗濯物の量とその洗濯物の量に対応して投入すべき洗剤や仕上げ剤などの助剤の量を一目で簡単に確認することが出来るので，いちいちマニュアルの一覧表を確認するなどの手間が不要で煩わしくなく，早く処理を実行することができる。
前記嵩レベル面に対応する目印は，矢印や，洗濯物の重量に関する表示を含んで構成されても良い。目印などは極めて感覚的に把握しやすい。
一方，前記投入量に関する表示を，計量カップとそれに入れられた洗剤或いは助剤のイメージ画像を含むものによって構成することが好ましい。洗剤を計量カップで測って投入するユーザが多いから，ユーザの感覚に合致した手法であり，間違いが少なくなる効果が期待される。
また別の例として前記投入量に関する表示を，前記嵩レベル面の中間においても複数段階に表示するようにする事が好ましい。よりき目細かい表示が可能となり，洗剤などの投入量の適正化が図れる。
更に，前記投入量に関する表示として，計量カップとそれに入れられた洗剤或いは助剤のイメージ画像を含み，上記イメージ画像が投入量に対応して色づけられてなるものであってもよい。いずれも極めて簡単に一目で洗剤などの投入量を感覚的に把握できる。
感覚的ではないが正確に把握するためには，前記投入量に関する表示を，数字であらわすことができる。
また前記嵩レベル面に対応する目印および／若しくは前記投入量に関する表示は，ドラムの洗濯物投入開口部に設けられた開口を仕切る蓋部材のような仕切り部材に付してもよい。要するにドラム式洗濯機の洗濯物量を把握できる場所に付されていれば良いのである。
前記助剤としては，仕上げ剤，柔軟剤などが考えられる。
【図面の簡単な説明】
【図１】本発明の背景をなすドラム式洗濯機に開蓋状態を示す斜視図。
【図２】本発明の一実施形態に係るドラム式洗濯機のドラム開口近辺の構造を示す平面図。
【図３】本発明の一実施形態に係るドラム式洗濯機のドラム開口近辺の構造を示す平面図。
【図４】本発明の一実施形態に係るドラム式洗濯機のドラム開口近辺の構造を示す平面図。
【図５】本発明の一実施形態に係るドラム式洗濯機のドラム開口近辺の構造を示す平面図。
【図６】本発明の一実施形態に係るドラム式洗濯機のドラム開口を閉じる蓋部材の構造を示す平面図。
【符号の説明】
１  ドラム式洗濯機
２  洗濯物
３  ドラム
４  カバー
【図１】
2004305246.tif 000003
【図２】
2004305246.tif 000004
【図３】
2004305246.tif 000005
【図４】
2004305246.tif 000006
【図５】
2004305246.tif 000007
【図６】
2004305246.tif 000008